(57)【要約】【課題】  可動肩当部を基部アームに対して移動可能とすることにより、好適な幅径に伸縮する。【解決手段】  ハンガー本体１０の両側の基部アーム１２には可動肩当部２０が摺動自在に嵌合されている。基部アーム１２は断面略四角形とされ、その上面に沿って溝部１２ａが設けられ、溝部１２ａの底面には所定間隔に係止孔１２ｂが設けられている。可動肩当部２０の表面には、直方形状の孔部が形成され、この孔部内には、可動片がその中央部の両側を軸部により支持され、可動片は軸部を支点としてシーソー状に動く。可動片の一方の端部の下部に係止爪が設けられ、他方の端部は押圧部とされている。可動片の押圧部を内部に押し込むと、軸部を介して係止爪が持ち上がり係止孔１２ｂから外れるので、押圧部を押しながら可動肩当部２０を基部アーム１２に沿って摺動することができる。【選択図】図１
2014230646.tif 000002
【特許請求の範囲】
【請求項１】
左右に基部アームを備えたハンガー本体と、肩幅を調整するための可動片を備え、前記基部アームに対し幅方向に摺動自在に係合する可動肩当部と、前記ハンガー本体に取り付けたフック部とから成り、前記基部アームに対する前記可動肩当部の位置を段階的に調整可能とした衣服用伸縮ハンガーであって、
前記基部アームは上面に係止孔を備え、前記可動片は前記可動肩当部の表面の孔部内に軸部により支持され、一方の端部の下部に係止爪を備え、他方の端部に押圧部を備え、
前記可動片を前記係止孔に嵌合することにより、前記基部アームに対する前記可動肩当部の位置を固定し、前記押圧部を押すことにより前記係止爪を前記係止孔から外すことを特徴とする衣服用伸縮ハンガー。
【請求項２】
前記軸部は前記孔部の中央に位置し、前記可動片は前記軸部を支点としてシーソー状に可動とし、前記軸部を介して前記可動肩当部に連結していることを特徴とする請求項１に記載の衣服用伸縮ハンガー。
【請求項３】
前記基部アームは上面に沿って溝部が設けられ、該溝部の底面に所定間隔で前記係止孔が設けられていることを特徴とする請求項１又は２に記載の衣服用伸縮ハンガー。
【請求項４】
前記可動肩当部は前記軸部の下面を含む半楕円状の前記可動肩当部の下面に沿って、下方に向けて肉厚にした補強部を備えることを特徴とする請求項１〜３の何れか１項に記載の衣服用伸縮ハンガー。
【請求項５】
前記基部アームは両端の開口縁の下方終端に段部を有し、前記可動肩当部は先端下方にストッパ部を有し、前記可動肩当部は前記基部アームに摺動した際に前記ストッパ部が前記段部に係止することで、前記可動肩当部が前記基部アームから脱落することを防止することを特徴とする請求項１〜４の何れか１項に記載の衣服用伸縮ハンガー。
【請求項６】
前記ハンガー本体は前記基部アームの両方の端部に連結する連結部と、両側の前記連結部の下端間に前記連結部と直交し、水平に配置された吊り下げ棒とを備えることを特徴とする請求項１〜５の何れか１項に記載の衣服用伸縮ハンガー。
【発明の詳細な説明】
【技術分野】
【０００１】
本発明は、上着、ジャケット、着物等の衣服を型崩れさせることなく係止する衣服用伸縮ハンガーに関するものである。
【背景技術】
【０００２】
上着、ジャケット等の衣服は、性別、体格、年令等に応じて、その大きさが多種多様であり、１種類のハンガーにより全ての大きさの衣服に対応することは不可能であり、また和服にあってはその性格上、極めて幅広のハンガーが要求される。従って、衣服を形崩れさせることなく、整然と保管するためには、係止する衣服の大きさに応じた複数種のハンガーを用意しなければならない。
【０００３】
しかし、一般家庭において、このような複数種のハンガーを用意することは困難であり、衣服の大きさに合わないハンガーを用いることが屡々あり、これにより衣服の脱落、或いは型崩れ、変形、皺が発生することが多い。
【０００４】
このような要望に対し、例えば特許文献１のハンガーが知られている。このハンガーは、物干し竿にかける部分であるハンガー１の下側に設けた凹状部に、幅を調節させる部分であるハンガー２の上辺下側に設けたバネ付止めバサミ３の凸状部を、適宜の位置で嵌合させることで、ハンガーの幅を調整している。
【０００５】
つまり、バネ付止めバサミ３の片端部を指等で押すことで、軸体を支点として凸状部が持ち上がり、ハンガー２が摺動可能となる。そして、指を離すとばね力により凸状部が復元し、ハンガー１の凹状部とバネ付止めバサミ３の凸状部とが嵌合し固定する。
【先行技術文献】
【特許文献】
【０００６】
【特許文献１】実開平６−６４５８６号公報
【発明の概要】
【発明が解決しようとする課題】
【０００７】
しかし、特許文献１のハンガーのバネ付止めバサミ３は、ハンガー２に対して軸体を介して固定されるが、幅の調整を繰り返すとばねが破損したり、指で押すバネ付止めバサミ３の片端部が折れてしまったり、軸体付近が破損してしまうことがある。また、軸体、バネ付止めバサミ３、ばね体と部品数が多く、組立てに手間を要する。
【０００８】
更に、バネ付止めバサミ３の取り付け個所については、衣服が引っ掛かってしまうため、ハンガー２の上辺上側に設けることができず、ハンガー２の上辺下側に取り付けざるを得ない。このため、ハンガー２の下辺にズボンを二つ折りで掛ける場合やマフラーやネクタイを掛ける場合に、バネ付止めバサミ３の片端部にズボン等が引っ掛かってしまい邪魔になる。
【０００９】
また、幅を調整する際も、係止した衣服をハンガーから外し、幅を調整した後に再度掛け直す必要がある。
【００１０】
本発明の目的は、可動肩当部を基部アームに対して移動可能とすることにより、大きさが異なる衣服に合わせて、好適な幅径に伸縮することができると共に、幅調整部が破損し難く、衣服を係止した状態であっても幅を調整可能な衣服用伸縮ハンガーを提供することにある。
【課題を解決するための手段】
【００１１】
上記目的を達成するための本発明に係る衣服用伸縮ハンガーは、左右に基部アームを備えたハンガー本体と、肩幅を調整するための可動片を備え、前記基部アームに対し幅方向に摺動自在に係合する可動肩当部と、前記ハンガー本体に取り付けたフック部とから成り、前記基部アームに対する前記可動肩当部の位置を段階的に調整可能としたものであって、前記基部アームは上面に係止孔を備え、前記可動片は前記可動肩当部の表面の孔部内に軸部により支持され、一方の端部の下部に係止爪え備え、他方の端部に押圧部を備え、前記可動片を前記係止孔に嵌合することにより、前記基部アームに対する前記可動肩当部の位置を固定し、前記押圧部を押すことにより前記係止爪を前記係止孔から外すことを特徴とする。
【発明の効果】
【００１２】
本発明に係る衣服用伸縮ハンガーによれば、衣服の大きさに合わせて長さ形態を変更でき、衣服を確実に保持することができる。また、肩幅調整部がハンガー本体から突出しないので、衣服等を肩幅調整部に引っ掛けてしまい破損することがない。更に、肩幅調整部が一体成型で製造可能であるので、低コスト化が可能である。
【図面の簡単な説明】
【００１３】
【図１】伸長した状態の衣服用伸縮ハンガーの斜視図である。
【図２】ハンガー本体の斜視図である。
【図３】可動肩当部の外側上方から見た斜視図である。
【図４】可動肩当部の内側下方から見た斜視図である。
【図５】可動肩当部の断面図である。
【図６】縮尺した状態の衣服用伸縮ハンガーの斜視図である。
【発明を実施するための形態】
【００１４】
図１は本実施例の衣服用伸縮ハンガーの肩幅を伸長した状態の斜視図、図２はハンガー本体の斜視図であり、各部材は合成樹脂材より構成されている。
【００１５】
この衣服用伸縮ハンガーは、ハンガー本体１０と、ハンガー本体１０に取り付けられた可動肩当部２０及びフック部３０とから構成されている。
【００１６】
ハンガー本体１０は、フック部３０を回転自在に取り付けた上部のフック取付部１１と、このフック取付部１１の左右両側から突き出た基部アーム１２と、この基部アーム１２の両方の端部に連結する連結部１３と、両側の連結部１３の下端間に連結部１３と直交し、水平に配置された吊り下げ棒１４とから構成されている。なお、本実施例では連結部１３及び吊り下げ棒１４をハンガー本体１０に設けたが、必要に応じて連結部１３及び吊り下げ棒１４を取り外し可能とする構造としてもよいし、設けない構造としてもよい。
【００１７】
基部アーム１２は両側に稍々垂れ下がっていると共に、吊り下げ棒１４の長手方向と直交する前方に向けて稍々湾曲されており、左右の可動肩当部２０が左右の基部アーム１２にそれぞれ摺動自在に嵌合されている。
【００１８】
基部アーム１２の内部は空洞とされ、下方を開口とした断面略四角形とされ、その上面に沿って所定幅の溝部１２ａが設けられ、溝部１２ａの底面には溝部１２ａの長手方向と直交する方向に、所定間隔で例えばスリット状の係止孔１２ｂが設けられている。また、基部アーム１２の両端の開口縁の下方終端には段部１２ｃが設けられている。
【００１９】
吊り下げ棒１４の周面には、長手方向に沿ってズボン等がずり落ちないようにするための複数本の凸条１４ａが形成されている。
【００２０】
図３は可動肩当部２０の外側上方から見た斜視図、図４は内側下方から見た斜視図、図５は可動肩当部２０の断面図である。
【００２１】
可動肩当部２０は衣服用伸縮ハンガーの幅を調整するに際して、基部アーム１２に対し幅方向に摺動自在に係合する部材であり、衣服を吊り下げるための要部である。可動肩当部２０の内部は空洞状であり、衣服用伸縮ハンガーに係止した衣服が形崩れしないように、その上面は略楕円状に膨らんでいる。可動肩当部２０の基部アーム１２への取り付け側の先端部には、基部アーム１２と嵌合するための枠部２１が設けられており、枠部２１の下部には基部アーム１２の段部１２ｃに係合し、可動肩当部２０が外れ落ちないようにするためのストッパ２２が設けられている。
【００２２】
枠部２１の近傍の上方表面には、長手方向に沿って直方形状の孔部２３が形成されている。この孔部２３内には、孔部２３よりも稍々小さな同形の可動片２４が、その中央部の両側を軸部２５により弾性的に支持されており、可動片２４は軸部２５を支点としてシーソー状に可動とされている。可動片２４は孔部２３に設けた軸部２５と共に射出成型等により可動肩当部２０と一体に成型されている。
【００２３】
可動片２４の一方の端部の下部には、基部アーム１２の係止孔１２ｂに嵌入する係止爪２６が設けられており、他方の端部の押圧部２７の上部には、押圧部２７を押し込むための滑り止めが形成されている。押圧部２７を指で押すと軸部２５を支点として回動し、指を離すと可動片２４は押す前の形状に弾性的に復元する。なお、実施例では枠部２１側に係止爪２６を設けたが、逆に配置するようにしてもよい。
【００２４】
また、軸部２５は繰り返しの捩れに対して折損しないように、軸部２５の下面を含む半楕円状の可動肩当部２０の下面に沿って、下方に向けて肉厚にした補強部２８が形成されている。
【００２５】
可動肩当部２０の枠部２１を基部アーム１２に嵌合することにより、図１の矢印に示すように可動肩当部２０は基部アーム１２に沿って移動可能となる。通常では、可動肩当部２０の可動片２４の係止爪２６が基部アーム１２の係止孔１２ｂ内に嵌合しているため動くことはないが、可動片２４の押圧部２７を内部に押し込むと、軸部２５を介して係止爪２６が持ち上がり、係止孔１２ｂから外れる。これにより、押圧部２７を押しながら可動肩当部２０を基部アーム１２に沿って摺動することができる。
【００２６】
このようにして、係止される衣服の大きさに応じて、可動肩当部２０を動かして、所望の幅径に段階的に調整することができる。可動肩当部２０を若干動かしながら、可動片２４の押圧部２７から指を離せば、係止爪２６は下方に向けて付勢され、近くの係止孔１２ｂ内に嵌入し、可動肩当部２０はその位置で基部アーム１２に固定される。この調整を両側の可動肩当部２０に対して行えば、所望の幅径が得られる。この調整は衣服を衣服用伸縮ハンガーに係止した状態においても行うことができる。つまり、衣服用伸縮ハンガーに掛けた衣服の上から可動片２４を操作すると、可動肩当部２０による幅径を所望の大きさにすることができる。
【００２７】
可動片２４及び軸部２５から成る肩幅調整部は、孔部２３内に収まっており、本体から突出していないので、衣服等が引っ掛かることがない。従って、肩幅調整部材が本体から突出しているハンガーに比べて、肩幅調整部が破損することが少ない。
【００２８】
また、可動肩当部２０を最大限に外側に移動しても、可動肩当部２０のストッパ２２が基部アーム１２の段部１２ｃに係止されるので、可動肩当部２０が基部アーム１２から脱落することを防止する。
【００２９】
図１は大径の上着、ジャケットや和服等を係止する際の状態を示し、可動肩当部２０は最大限に外側方向に移動して伸長した長径となっており、このときの可動肩当部２０の外端間の幅は例えば５２ｃｍである。
【００３０】
図６は子供用衣服や婦人物等の比較的小幅な衣服を係止する際の状態を示し、基部アーム１２と可動肩当部２０とは最大限重合して縮尺した短径となっており、幅は例えば３６ｃｍである。
【符号の説明】
【００３１】
１０  ハンガー本体
１１  フック取付部
１２  基部アーム
１２ａ  溝部
１２ｂ  係止孔
１２ｃ  段部
１３  連結部
１４  吊り下げ棒
１４ａ  凸条
２０  可動肩当部
２１  枠部
２２  ストッパ
２３  孔部
２４  可動片
２５  軸部
２６  係止爪
２７  押圧部
２８  補強部
３０  フック部
【図１】
2014230646.tif 000003
【図２】
2014230646.tif 000004
【図３】
2014230646.tif 000005
【図４】
2014230646.tif 000006
【図５】
2014230646.tif 000007
【図６】
2014230646.tif 000008